(57)【特許請求の範囲】
【請求項１】
構造物の基礎上にすべり支承を取付ける方法において、
前記基礎上にレベル調整材を突設して、このレベル調整材に、上面に滑り版が取付けられたプレキャスト版を設置し、前記プレキャスト版の水平方向への移動を拘束支持するために前記プレキャスト版の外側部に沿って立上がりコンクリートを打設養生する工程と、前記滑り版の上面にすべり支承を載置する工程と、このすべり支承の上面に、上部躯体に埋設結合させるシアコネクタが取付けられた上部プレートを固設する工程とを備えたことを特徴とするすべり支承の取付け方法。
【請求項２】
請求項１に記載のすべり支承の取付け方法において、前記プレキャスト版に高強度コンクリートを用いるすべり支承の取付け方法。
【請求項３】
請求項１に記載のすべり支承の取付け方法において、前記載置されたすべり支承の水平方向への移動を拘束支持するための支保工を前記すべり支承側面に当接設置し、さらに、前記すべり支承の外周側部にコンクリートを打設して前記すべり支承と滑り版とを一体化するすべり支承の取付け方法。
【請求項４】
請求項１に記載のすべり支承の取付け方法において、前記基礎面と設置されたプレキャスト版との間をグラウティングするすべり支承の取付け方法。
【発明の詳細な説明】
【０００１】
【発明の属する技術分野】
この発明は、地震力を低減するために構造物の躯体下部と基礎との間に配されるすべり支承の取付け方法に関する。
【０００２】
【従来の技術】
従来の一般的なすべり支承の取付け方法としては、構築すべき基礎用の配筋を行い、さらに、この基礎用の配筋と連続してすべり支承を設置する位置を立上げて配筋を行い、この配筋上部にステンレス製の滑り版を設置して基礎コンクリートおよび立上がりコンクリートを同時に打設養生し、立上がりコンクリートの上端に埋設された滑り版に積層ゴムと摩擦係数の小さいＰＴＦＥ板（四フッ化エチレン樹脂板）とが上下に連結されたすべり支承を載置して、このすべり支承の上部に、このすべり支承より大径からなる調整用鋼管を設置し、この調整用鋼管の上側に上部躯体用の鉄筋を接続してコンクリートを打設することにより、上部躯体を構築していた。
【０００３】
【発明が解決しようとする課題】
しかしながら、上記のような従来のすべり支承の取付け方法にあっては、すべり支承の滑動面となる滑り版が、基礎と連続する立上がりコンクリート用の配筋上部に設置されることにより、その上面の水平レベルを十分に確保して精度良く配置することが難しいという問題があり、さらに、立上がりコンクリートの打設時に滑り版の位置ずれ等を生じて、すべり支承を十分に機能させることが困難であるという問題があった。
【０００４】
また、立上がりコンクリート用の配筋上部に薄板状の滑り版を設置した場合には、コンクリートの養生中に滑り版の自重により撓んで水平度を十分に確保することが困難であり、これに対処するためには滑り版の板厚を厚くして剛性強度を高める必要があり、その結果、滑り版の材料費が嵩むという問題があった。
【０００５】
さらに、すべり支承に作用する上部躯体からの鉛直荷重を、滑り版下側の立上がりコンクリートの圧縮強度が十分でないために鉛直荷重を強固に支持することができない場合があり、このため、滑り版の板厚を厚くして剛性強度を高くする必要があり、滑り版が大重量になって材料コストが嵩むという問題があった。
【０００６】
そこで、この発明は、上記、従来の未解決の課題に着目してなされたものであり、滑り版の取付け精度を確保してすべり支承を円滑に機能させることができるとともに、耐圧性のあるプレキャスト版を用いることによって滑り版を強固に支持し、滑り版を軽量化することができるすべり支承の取付け方法を提供することを目的としている。
【０００７】
【課題を解決するための手段】
以上の諸問題を解決するために、この発明は、構造物の基礎上にすべり支承を取付ける方法において、前記基礎上にレベル調整材を突設して、このレベル調整材に、上面に滑り版が取付けられたプレキャスト版を設置し、前記プレキャスト版の水平方向への移動を拘束支持するために前記プレキャスト版の外側部に沿って立上がりコンクリートを打設養生する工程と、前記滑り版の上面にすべり支承を載置する工程と、このすべり支承の上面に、上部躯体に埋設結合させるシアコネクタが取付けられた上部プレートを固設する工程とを備えたことを特徴とするすべり支承の取付け方法を提供するものである。
【０００８】
而して、基礎面に突設されたレベル調整材に、予め、上面に滑り版が取付けられたプレキャスト版を載置することにより、すべり支承の設置面となる滑り版の設置レベルおよび水平度が確保され、この状態で設置されたすべり支承の周囲に型枠を設置する等して立上がりコンクリートを打設することにより、設置されたプレキャスト版の水平方向への移動を拘束支持する。
【０００９】
さらに、上部プレートのシアコネクタが上部躯体に埋設され、滑り支承と一体に接合される。
また、前記プレキャスト版に、圧縮強度の大きい高強度コンクリートを用いることにより、特に滑り版からかかる鉛直荷重を強固に支持する。
【００１０】
さらに、前記載置されたすべり支承の水平方向への移動を拘束支持するための支保工を前記すべり支承側面に当接設置し、さらに、前記すべり支承の外周側部にコンクリートを打設して前記すべり支承と滑り版とを一体化することにより、上部躯体が構築される前において、位置決めされたすべり支承の水平方向への移動を抑止する。
【００１１】
また、前記基礎面と設置されたプレキャスト版との間をグラウティングすることにより、プレキャスト版と基礎面との隙間が充填されプレキャスト版にかかる鉛直荷重を基礎面に伝達する。
【００１２】
【発明の実施の形態】
以下、この発明のすべり支承の取付け方法の実施の形態について説明する。
図１（ａ）に示すように、１は構築すべき構造物の基礎であり、ここでは、構造物の支持剛性を低下させ、構造物の振動時における固有周期を長くして振動を減衰するために、基礎１の上面に所定間隔をあけて免振装置としての複数のすべり支承を取付けた後に上部躯体を構築する。
【００１３】
先ず、基礎１内部の図示しない支持杭が埋設されている位置の周縁に接続鉄筋２を所定間隔をあけて複数突設させて、この隣合う接続鉄筋２間の所定位置に、図１（ｂ）に示すように、水平板３ａとその下面にアンカー筋３ｂが接合されたレベル調整材３を、その水平板３ａを基礎１と平行にして、基礎面からの高さを測定して精度良く配置し、下部のアンカー筋３ｂを基礎１に埋設して固定する。
【００１４】
次いで、図２に示すように、工場または現場等で製作されたプレキャスト版４を吊り込む。
このプレキャスト版４は、ここでは、平面矩形で耐圧性のある高強度コンクリートで構成され、その内部に構造鉄筋５が埋設され、上面全面にステンレス製の滑り版６が敷設されている。また、このプレキャスト版４の周縁部に取付けられた吊り具４ａを前記レベル調整材３の水平板３ａ上に載置してボルト接合することにより基礎面からの高さおよび水平度を確保する。
【００１５】
次いで、図３に示すように、設置されたプレキャスト版４と下側の基礎面との間に隙間が生じている場合には、エポキシ樹脂等の充填材７をグラウティングして、プレキャスト版４と基礎１とを一体化する。
【００１６】
次いで、図４に示すように、設置されたプレキャスト版４の周囲の基礎１に突設してある接続鉄筋２の外側に型枠８を設置し、ここでは、前記プレキャスト版４の滑り版６の上面レベルまで立上がりコンクリート９を打設する。
【００１７】
このとき、プレキャスト版４の交換作業を行うことができるように、プレキャスト版４の吊り具４ａとレベル調整材２とのボルト接合部を除いて立上がりコンクリート９を打設する。
【００１８】
次いで、図５に示すように、このプレキャスト版４の滑り版６上面の中央部にすべり支承１０を吊り込んで載置する。
このすべり支承１０は、従来と同様の構成を備えたものであり、下端部に摩擦係数の低いＰＴＦＥ板１１が配され、その上部に鋼板とゴム板とが交互に重合された積層ゴム１２が配され、さらに、その上部に調整用鋼管１３が取付けられている。
【００１９】
なお、すべり支承１０の構成は、必ずしもこれ限るものではなく、少なくとも下端部に摩擦係数の小さい滑り部材を備えていればよい。
次いで、図６に示すように、このすべり支承１０の調整用鋼板１３の上面に、上部プレート１４を吊り込んで設置する。
【００２０】
この上部プレート１４は、鋼板からなる平板１４ａの上面に、上部躯体２０に埋設される長ナット１４ｂと、上部躯体との接続用のスタッドボルトであるシアコネクタ１４ｃが取付けられており、前記調整用鋼管１４の上端に設けられたフランジ１３ａの取付け孔にボルト１５を貫通して前記長ナット１４ｂ内部に螺合することにより、上部プレート１４とすべり支承１０とを締結する。
【００２１】
なお、この長ナット１４ｂは、ここでは、上端にシアコネクタ１４ｃを取り付けることにより、長ナット１４ｂの内部と構築すべき上部躯体用のコンクリートとを画成する。
【００２２】
次いで、図７に示すように、このように設置されたすべり支承１０の水平方向への移動を拘束するために、ここでは、このすべり支承１０の調整用鋼管の側面の２ヵ所に等間隔をあけてＬ字型の支保工１６を設置する。
【００２３】
この支保工１６は、水平方向に延在する鋼管１６ａと、その端部に接合されて垂直方向に延在する鋼管１６ｂと、これら鋼管１６ａ，１６ｂの接合部を補強するための斜め材１６ｃとから構成され、この支保工１６の鋼管１６ａの端部を調整用鋼管に当接して溶接等により仮止めし、鋼管１６ｂの下端部をアンカボルトによって基礎面に打ち込むことにより固定してある。
【００２４】
さらに、図８に示すように、すべり支承１０の側部周囲を取り囲んでコンクリート１８を打設養生し、水平方向に延在する鋼管の一部を埋設し支保工１６を固定する。
【００２５】
その後に、図９に示すように、前記調整用鋼管１３の上部に設置された上部プレート１４の上側に柱梁用の配筋１９を行い、この上部プレート１４の端部と連続して型枠を設置してこの型枠内にコンクリートを打設することにより、すべり支承１０と一体的に上部躯体２０を構築する。
【００２６】
次いで、各すべり支承１０に鉛直荷重が十分に付与された後に、先にすべり支承１０周囲に設置されたすべり支承１０の仮固定用のコンクリート１８および支保工１６を解体撤去して免振機能を発揮させる。
【００２７】
従って、上部躯体１５と基礎１との間に介在して配されたすべり支承１０によって、通常は鉛直方向で構造物からの重量を強固に支持し、地震時には、滑り版６上部ですべり支承１０および上部躯体が滑動することにより、このすべり支承１０および上部躯体からなる振動系の固有周期を長くして応答加速度を低減するとともに、すべり支承１０と滑り版６との摩擦によって地震エネルギーを減衰することができる。
【００２８】
而して、このようなすべり支承１０の取付け方法は、予め、滑り版６およびその下側の耐圧製のあるコンクリート版とを一体化して製作されたプレキャスト版４を用いることにより、滑り版６が局部的に撓んだり変形することがなく水平レベルが確保され、すべり支承１０の免振機能を十分に機能させることができる。
【００２９】
そして、プレキャスト版４の製作後に適宜、滑り版６を研削等して仕上げることにより水平レベルを確保することも可能なので、滑り版６の板厚を厚くして剛性強度によって撓みを防止する必要がなく滑り版６を薄くして経済的に製作することができる。
【００３０】
さらに、プレキャスト版４のコンクリート版に耐圧性のある高強度コンクリートを用いることにより、滑り版６からかかる鉛直荷重を強固に支持して撓み等を抑止するとともに、クラック等が発生して支持強度が低下するのを防止する。
【００３１】
また、このプレキャスト版４を現場に設置する際に、基礎面に精度良く埋設設置されたレベル調整材３に載置してプレキャスト版４の下側の基礎１との隙間をグラウティングすることにより、現場において大重量のプレキャスト版４の位置調整等の煩雑な作業を不要にして施工を簡略化することができる。
【００３２】
さらに、プレキャスト版４の周囲に構築された立上がりコンクリート９によってプレキャスト版４の側部を支持して、プレキャスト版４の水平方向への移動を拘束する。また、この立上がりコンクリート９は、プレキャスト版４とレベル調整材３との接合部を避けて構築されていることにより、滑り版６の磨耗，変形等によりプレキャスト版４の交換作業を行う際に、立上がりコンクリート９を解体することなく、適宜ボルトの取り外しおよび取付け作業のみでプレキャスト版４を、簡易且つ迅速に交換することができる。
【００３３】
さらに、上部プレート１４には、長ナット１４ｂを設ける。この長ナット１４ｂは調整用鋼管１３のフランジ部１３ａに取り付けるためのものであるが、さらにこの長ナット１４ｂの端部にシアコネクタ１４ｃを螺合して、これを上部躯体２０に埋設設置させる。このような構成にすると、すべり支承１０の交換作業を行う際に、取付けボルト１５を、適宜取り付けまたは取り外して簡易に行うことができる。
【００３４】
なお、この発明の実施の形態においては、上部躯体２０と基礎１との間に複数のすべり支承１０のみを配して、構造物を免振化する方法について説明したが、さらに、鋼棒ダンパ，粘性ダンパ等を設置してすべり支承１０と併用して用いることができるのは勿論である。
【００３５】
また、上記実施の形態においては、プレキャスト版４に高強度コンクリートを用いる場合について説明したが、これに限るものではなく、プレストレストコンクリート，ポリマーコンクリート等や、これら以外の材料によってプレキャスト版４を構成することができるのは勿論である。
【００３６】
【発明の効果】
以上、説明したように、この発明のすべり支承の取付け方法のうち、請求項１の発明によれば、予め、プレキャストコンクリート部材の上部に滑り版が敷設されたプレキャスト版を製作して、所定位置にレベル調整材を用いて設置することにより、基礎上部に滑り版の水平レベルを確保しつつ精度良く配置することができるとともにプレキャスト版の現場での位置調整を不要にして設置作業が大幅に簡略化される。
【００３７】
また、請求項２の発明によれば、プレキャストコンクリートを耐圧性のある高強度コンクリートによって構成することにより、すべり支承からかかる鉛直荷重を強固に支持して滑り版の撓みや変形を抑止することができるとともにプレキャストコンクリートのクラックの発生を抑止できる。
【００３８】
さらに、請求項３の発明によれば、前記載置されたすべり支承の側面を支持する仮固定用の支保工を設置し、前記すべり支承側部を取り囲んでコンクリートを打設することにより、上部躯体が構築される前に、すべり支承の水平方向への移動を抑止することができる。請求項４の発明によれば、プレキャスト版および基礎との間に隙間が形成されることなくすべり支承からの鉛直荷重によってプレキャスト版の撓み，変形を抑止できる。
【図面の簡単な説明】
【図１】同図（ａ）は、この発明の実施の形態にかかるすべり支承の取付け方法の施工手順を示す側面図であり、同図（ｂ）はレベル調整材の斜視図である。
【図２】すべり支承の取付け方法の施工手順を示す側面図である。
【図３】すべり支承の取付け方法の施工手順を示す側面図である。
【図４】すべり支承の取付け方法の施工手順を示す側面図である。
【図５】すべり支承の取付け方法の施工手順を示す側面図である。
【図６】すべり支承の取付け方法の施工手順を示す側面図である。
【図７】すべり支承の取付け方法の施工手順を示す側面図である。
【図８】すべり支承の取付け方法の施工手順を示す側面図である。
【図９】すべり支承の取付け方法の施工手順を示す側面図である。
【符号の説明】
１……基礎
２……接続鉄筋
３……レベル調整材
４……プレキャスト版
５……構造鉄筋
６……滑り版
７……充填材
８……型枠
９……立上がりコンクリート
１０……すべり支承
１１……ＰＴＦＥ板
１２……積層ゴム
１３……調整用鋼管
１４……上部プレート
１５……ボルト
１６……支保工
１７……アンカボルト
１８……コンクリート
１９……配筋
２０……上部躯体
【図１】
0003705865.tif 000002
【図２】
0003705865.tif 000003
【図３】
0003705865.tif 000004
【図４】
0003705865.tif 000005
【図５】
0003705865.tif 000006
【図６】
0003705865.tif 000007
【図７】
0003705865.tif 000008
【図８】
0003705865.tif 000009
【図９】
0003705865.tif 000010